(57)【要約】【課題】屋外に設置されている施設としての、例えば、キュービクルについて、その扉を開けた状態で種々の計器作業を実施する際に、キュービクルの扉に簡単に取り付けて、キュービクルの計器が風雨に晒されてしまう事態の発生を防止することができる、雨天作業用の防水テントを提供する。【解決手段】本発明に係る雨天作業用の防水テントは、屋外に設置されている施設の扉を開いた状態において、磁石を介して防水シートの設置片を計器の上に取り付けると共に、防水シートのフックを扉の上縁に掛け止めして、扉の上縁と前縁に沿うように防水シートを折曲状に配置し、防水シートの第１筒部と特定の第２筒部に斜向棒の両端部を挿入して、防水シートによる天壁を平面状に形成すると共に、特定の第３筒部に起立棒の端部を挿入し、起立棒の先端部を地面に当接させて、防水シートによる前壁を垂設状に形成する。【選択図】図９
2012154058.tif 000002
【特許請求の範囲】
【請求項１】
略長方形状の防水シートの基端部側の短辺に、磁石を備えている設置片を連設すると共に、防水シートの長手方向における一方の側縁部に、所定の間隔を開けて複数のフックを取り付けて雨天作業用の防水テントを構成し、
防水シートの長手方向における一方の側縁部において、設置片と接合している角部分に、斜向棒の端部を挿入する第１筒部を設け、この第１筒部に対向するように防水シートの長手方向における他方の側縁部に、斜向棒の他端部を挿入する複数の第２筒部を設けると共に、当該第２筒部に連なるように、起立棒の端部を挿入する複数の第３筒部を設けている雨天作業用の防水テント。
【請求項２】
屋外に設置されている施設の扉を開いた状態において、磁石を介して防水シートの設置片を計器の上に取り付けると共に、防水シートのフックを扉の上縁に掛け止めして、扉の上縁と前縁に沿うように防水シートを折曲状に配置し、
防水シートの第１筒部と特定の第２筒部に斜向棒の両端部を挿入して、防水シートによる天壁を平面状に形成すると共に、特定の第３筒部に起立棒の端部を挿入し、起立棒の先端部を地面に当接させて、防水シートによる前壁を垂設状に形成する請求項１に記載の雨天作業用の防水テント。
【請求項３】
防水シートの長手方向における他方の側縁部に、所定の間隔を開けて複数のフックを取り付けると共に、
防水シートの長手方向における他方の側縁部において、設置片と接合している角部分に、斜向棒の端部を挿入する第１筒部を設け、この第１筒部に対向するように防水シートの長手方向における一方の側縁部に、斜向棒の他端部を挿入する複数の第２筒部を設けると共に、当該第２筒部に連なるように、起立棒の端部を挿入する複数の第３筒部を設けている請求項１に記載の雨天作業用の防水テント。
【請求項４】
矩形状の天壁を構成する防水シートの基端部側の一辺に、磁石を備えている設置片を連設すると共に、天壁を構成する防水シートの先端部側の一辺に、前壁を構成する長方形状の防水シートを連設し、天壁を構成する防水シートの一方の側縁部に、所定の間隔を開けて複数のフックを取り付けて雨天作業用の防水テントを構成し、
天壁を構成する防水シートの一方の側縁部において、設置片と接合している角部分に、斜向棒の端部を挿入する第１筒部を設け、当該角部分に向かい合う天壁の対角部分に、斜向棒の他端部を挿入する第２筒部を設けると共に、当該第２筒部に隣接するように、前壁を構成する長方形状の防水シートに、起立棒の端部を挿入する第３筒部を設けている雨天作業用の防水テント。
【請求項５】
屋外に設置されている施設の扉を開いた状態において、天壁を構成する防水シートの設置片を、磁石を介して計器の上に取り付けると共に、天壁を構成する防水シートのフックを扉の上縁に掛け止めし、扉の上縁と前縁に沿うように防水シートの天壁と前壁を配置し、
天壁の第１筒部と第２筒部に斜向棒の両端部を挿入して、防水シートによる天壁を平面状に形成すると共に、第３筒部に起立棒の端部を挿入し、起立棒の先端部を地面に当接させて、防水シートによる前壁を垂設状に形成する請求項４に記載のキュービクルの扉を利用した雨天作業用の防水テント。
【請求項６】
天壁を構成する防水シートの他方の側縁部に、所定の間隔を開けて複数のフックを取り付けると共に、
天壁を構成する防水シートの他方の側縁部において、設置片と接合している角部分に、斜向棒の端部を挿入する第１筒部を設け、当該角部分に向かい合う天壁の対角部分に、斜向棒の他端部を挿入する第２筒部を設けると共に、当該第２筒部に隣接するように、前壁を構成する長方形状の防水シートに、起立棒の端部を挿入する第３筒部を設けている請求項４に記載の雨天作業用の防水テント。
【請求項７】
天壁を構成する防水シートにおいて、一方の側縁部に、側壁を構成する長方形状の防水シートを連設し、前壁を構成する長方形状の防水シートと側壁を構成する防水シートを接合している請求項４または６に記載の雨天作業用の防水テント。
【請求項８】
天壁を構成する防水シートにおいて、他方の側縁部に、出入口用の側壁を構成する長方形状の防水シートを連設している請求項４または６に記載の雨天作業用の防水テント。
【請求項９】
矩形状の天壁を構成する防水シートの基端部側の一辺に、磁石を備えている設置片を連設し、天壁を構成する防水シートの先端部側の一辺に、前壁を構成する長方形状の防水シートを連設すると共に、天壁を構成する防水シートの一方の側縁部に、側壁を構成する長方形状の防水シートを連設し、前壁を構成する長方形状の防水シートと側壁を構成する防水シートを接合して雨天作業用の防水テントを構成し、
天壁を構成する防水シートの一方の側縁部において、設置片と接合している角部分に、斜向棒の端部を挿入する第１筒部を設け、当該角部分に向かい合う天壁の対角部分に、斜向棒の他端部を挿入する第２筒部を設けると共に、当該第２筒部に隣接するように、前壁を構成する長方形状の防水シートに、起立棒の端部を挿入する第３筒部を設けている雨天作業用の防水テント。
【請求項１０】
屋外に設置されている施設の扉を開いた状態において、扉を覆うように天壁・側壁・前壁を構成する防水シートを配置し、天壁と側壁を構成する防水シートの連設部分を扉の上縁に宛がった状態で、天壁を構成する防水シートの第１筒部と第２筒部に斜向棒の両端部を挿入して、防水シートによる天壁を平面状に形成すると共に、前壁を構成する防水シートの第３筒部に起立棒の端部を挿入し、起立棒の先端部を地面に当接させて、防水シートによる前壁を垂設状に形成する請求項９に記載の雨天作業用の防水テント。
【請求項１１】
矩形状の天壁を構成する防水シートの基端部側の一辺に、磁石を備えている設置片を連設し、天壁を構成する防水シートの先端部側の一辺に、前壁を構成する長方形状の防水シートを連設すると共に、天壁を構成する防水シートの他方の側縁部に、側壁を構成する長方形状の防水シートを連設し、前壁を構成する長方形状の防水シートと側壁を構成する防水シートを接合して雨天作業用の防水テントを構成し、
天壁を構成する防水シートの他方の側縁部において、設置片と接合している角部分に、斜向棒の端部を挿入する第１筒部を設け、当該角部分に向かい合う天壁の対角部分に、斜向棒の他端部を挿入する第２筒部を設けると共に、当該第２筒部に隣接するように、前壁を構成する長方形状の防水シートに、起立棒の端部を挿入する第３筒部を設けている雨天作業用の防水テント。
【発明の詳細な説明】
【技術分野】
【０００１】
本発明は、屋外に設置されている施設としての、例えば、高圧受電盤装置（以下、キュービクルという）について、キュービクルの扉を開けた状態で種々の計器作業を実施する際に、キュービクルの計器が風雨に晒されてしまう事態の発生を防止することができる、雨天作業用の防水テントに関するものである。
【背景技術】
【０００２】
キュービクルは、例えば、遮断器、断路器、計器用変成器、変流器等の装置を内蔵しており、その外周を金属板等で覆って直方体状に形成されている。
【０００３】
この様なキュービクルは、発電所、変電所、電力の需要者等において、従来より広く使用されており、キュービクルの扉を開けた状態で、種々の計器作業が実施されている。
【０００４】
以下に、ＰＰＳ需要者において使用されているキュービクルを施設の一例にして、扉を開けた状態で実施されている計器作業の具体的な内容を説明する。
【０００５】
従来における電力の供給は、地域毎に、国から許可を受けた電力会社のみが行っていたが、近年における制度改革により、電力の需要者は、新たに電気事業に参入した事業者（特定規模電気事業者）や、他の区域の電力会社から電力を購入することが可能となった。
【０００６】
そして、電力会社以外からは、特定規模電気事業者（ＰＰＳ）から電力を購入できることとなる。この特定規模電気事業者（ＰＰＳ）から電力を購入している者を、以下、ＰＰＳ需要者という。
【０００７】
ＰＰＳ需要者は、特定規模電気事業者（ＰＰＳ）の電力を、電力会社の送電線を介して購入することとなる。その為、電力会社は、同時同量監視業務を行う必要がある。この同時同量監視業務は、特定規模電気事業者（ＰＰＳ）に対して、電力会社が特定規模電気事業者（ＰＰＳ）から受電する発電量を、電力会社がＰＰＳ需要者に供給する供給量に調整しているか否かを確認する業務である。
【０００８】
そして、特定規模電気事業者（ＰＰＳ）が、電力会社が特定規模電気事業者（ＰＰＳ）から受電する発電量を、電力会社がＰＰＳ需要者に供給する供給量に調整すること（同時同量）を実現するために、電力会社による同時同量支援が行われる。
【０００９】
この同時同量支援は、特定規模電気事業者（ＰＰＳ）が「同時同量」を実現するために、電力会社の自動検針システムを使用して、ＰＰＳ需要者における使用電力量（計器表示値）を、３０分毎に特定規模電気事業者（ＰＰＳ）に情報提供する業務である。
【００１０】
この様に、ＰＰＳ需要者の自動検針システムを実施することにより、同時同量支援を実現するのであるが、この自動検針システムを実施する以前においては、暫定的な措置として、ＰＰＳ需要者の計量データを個別に採録しているのが実情である。
【００１１】
このＰＰＳ需要者の計量データの個別の採録は、まず、図２０に示すように、ＰＰＳ需要者に使用されているキュービクルＣにおいて、作業員Ｓが当該キュービクルＣの扉Ｄを開けて対象となる電力量計器１０１を確認する。次に、作業員Ｓは、図２１に示すように、所定の工具を用いて蓋箱１０２を取り外し、電力量計器１０１を開放して固定箱１０３の内部を露出させる。次に、作業員Ｓは、図２２に示すように、固定箱１０３に固定されている端子カバー１０４を取り外す。
【００１２】
そして、作業員Ｓは、図２３に示すように、データ回収用プログラム（暗号化対応）をインストールしているパソコン（ＰＣ）を電力量計器１０１に接続する。具体的には、固定箱１０３側のＤＴ端子・ＳＧ端子から接続端子を外してから、このＤＴ端子・ＳＧ端子に、パソコン（ＰＣ）側のコード２００の端子を接続して、当該電力量計器１０１における計量データの採録を行うのである。
【００１３】
この様に、ＰＰＳ需要者において使用されているキュービクルＣにおいて、電力量計器１０１における計量データの採録を随時行っているが、この作業がキュービクルＣの扉Ｄを開けた状態で実施されることから、種々の計器が露出した状態となって、風雨に晒されることとなる。
【００１４】
そして、屋外に設置されている建築物の扉を利用した簡易型防雨シートとして、例えば、特許文献１に示すものが存在している。
【００１５】
この簡易型防雨シートは、図２４に示すように、長手方向の長さが屋外用建築物の観音開き扉の開口長よりも若干長めに設定された上面部３００と、前記上面部３００の幅方向の両側縁部から垂下された側面部３０１と、前記上面部３００の長手方向の一方の縁部から垂下された前面部３０２とを有するシート本体３０３を有し、前記屋外用建築物の前記観音開き扉を開いた後に、前記観音開き扉のヒンジ側に前記前面部３０２が垂下されていない側の前記上面部３００の縁部が位置するとともに、前記観音開き扉の外方に前記側面部３０１がそれぞれ位置するようにして、前記シート本体３０３を前記観音開き扉を覆うようにして被せ、前記側面部３０１の補強材として前記観音開き扉を利用するようにしたものである。
【００１６】
また、屋外に設置されている建築物の作業テントとして、例えば、特許文献２に示すものが存在している。
【００１７】
この作業テントは、図２５に示すように、壁面に取り付けられた扉Ｄが開かれて露出する機器類に対して作業を行う人が使用し、前記壁面に着脱自在で取り付け可能な作業テントであって、装着された取付け時に前記扉Ｄの周囲の壁面部分で少なくとも前記露出する機器類の露出範囲の下端の高さ以上の部分から前記壁面に垂直方向に所定奥行きに渡って延びたシート４００を備え、このシート４００が骨組４０１で支持されたものである。
【先行技術文献】
【特許文献】
【００１８】
【特許文献１】実用新案登録第３００９４４２号公報
【特許文献２】特開平１０−３２５２４７号公報
【発明の概要】
【発明が解決しようとする課題】
【００１９】
上記したように、例えば、ＰＰＳ需要者において使用されているキュービクルＣにおいて、電力量計器１０１における計量データの採録を行っているが、この作業がキュービクルＣの扉Ｄを開けた状態で実施されることから、図２０乃至図２３に示すように、種々の計器が露出した状態となって風雨に晒されることから、作業の進行が天候の影響を強く受けてしまうという弊害が生じている。
【００２０】
即ち、近年における制度改革により、ＰＰＳ需要者が増加していることから、作業員Ｓは、ＰＰＳ需要者において使用されているキュービクルＣにおいて、電力量計器１０１における計量データの採録を効率良く実施しなければならないが、作業の前提として、図２０乃至図２３に示すように、種々の計器が露出した状態となることから、当該計器が風雨に晒されることとなる。その為、悪天候時に、計量データの採録作業を実施できない事態が生じていたのである。
【００２１】
この様な場合、１人の作業員Ｓが傘を持った状態で、他の作業員Ｓが計量データの採録作業を実施することも可能であるが、作業に人員を要することとなり、好ましくない。また、１人の作業員Ｓは、傘を持つためだけに存在することとなり、非常に非効率的である。
【００２２】
この他、特許文献１に示す簡易型防雨シートは、観音開き扉にのみ適用が可能であり、例えば、図２０乃至図２３に示すようなキュービクルＣの片開き状の扉Ｄに適用できない構成となっている。
【００２３】
また、特許文献２に示す作業テントは、図２５に示すように、シート４００が骨組４０１で支持され、前記骨組４０１は、シート４００の壁面側を支持する第１の部材４０２と、シート４００の壁面に対して離反側を支持する第２の部材４０３と、一端が前記第１の部材４０２に接続し、他端が前記第２の部材４０３に接続し、且つ、前記第２の部材４０３を前記第１の部材４０２に対して上下方向に相対的に移動させることの可能な第３の部材４０４を備えており、骨組４０１の構成が非常に複雑であり、骨組４０１自体の製造コストが高くなり易かった。
【００２４】
また、骨組４０１の組み立て作業、組み立てた骨組４０１へのシート４００の取り付け作業という複数の作業工程が必要となり、作業テントの設置に時間を要していた。
【００２５】
そこで、本発明は、如上のような従来存した諸事情に鑑み創出されたもので、屋外に設置されている施設としての、例えば、キュービクルについて、その扉を開けた状態で種々の計器作業を実施する際に、キュービクルの扉に簡単に取り付けて、キュービクルの計器が風雨に晒されてしまう事態の発生を防止することができる、雨天作業用の防水テントを提供することを目的とする。
【課題を解決するための手段】
【００２６】
本発明に係る雨天作業用の防水テントは、略長方形状の防水シートの基端部側の短辺に、磁石を備えている設置片を連設すると共に、防水シートの長手方向における一方の側縁部に、所定の間隔を開けて複数のフックを取り付けて雨天作業用の防水テントを構成し、
防水シートの長手方向における一方の側縁部において、設置片と接合している角部分に、斜向棒の端部を挿入する第１筒部を設け、この第１筒部に対向するように防水シートの長手方向における他方の側縁部に、斜向棒の他端部を挿入する複数の第２筒部を設けると共に、当該第２筒部に連なるように、起立棒の端部を挿入する複数の第３筒部を設けていることで、上述した課題を解決した。
【００２７】
また、屋外に設置されている施設の扉を開いた状態において、磁石を介して防水シートの設置片を計器の上に取り付けると共に、防水シートのフックを扉の上縁に掛け止めして、扉の上縁と前縁に沿うように防水シートを折曲状に配置し、
防水シートの第１筒部と特定の第２筒部に斜向棒の両端部を挿入して、防水シートによる天壁を平面状に形成すると共に、特定の第３筒部に起立棒の端部を挿入し、起立棒の先端部を地面に当接させて、防水シートによる前壁を垂設状に形成することで、同じく上述した課題を解決した。
【００２８】
さらに、防水シートの長手方向における他方の側縁部に、所定の間隔を開けて複数のフックを取り付けると共に、
防水シートの長手方向における他方の側縁部において、設置片と接合している角部分に、斜向棒の端部を挿入する第１筒部を設け、この第１筒部に対向するように防水シートの長手方向における一方の側縁部に、斜向棒の他端部を挿入する複数の第２筒部を設けると共に、当該第２筒部に連なるように、起立棒の端部を挿入する複数の第３筒部を設けていることで、同じく上述した課題を解決した。
【００２９】
また、本発明に係る雨天作業用の防水テントは、矩形状の天壁を構成する防水シートの基端部側の一辺に、磁石を備えている設置片を連設すると共に、天壁を構成する防水シートの先端部側の一辺に、前壁を構成する長方形状の防水シートを連設し、天壁を構成する防水シートの一方の側縁部に、所定の間隔を開けて複数のフックを取り付けて雨天作業用の防水テントを構成し、
天壁を構成する防水シートの一方の側縁部において、設置片と接合している角部分に、斜向棒の端部を挿入する第１筒部を設け、当該角部分に向かい合う天壁の対角部分に、斜向棒の他端部を挿入する第２筒部を設けると共に、当該第２筒部に隣接するように、前壁を構成する長方形状の防水シートに、起立棒の端部を挿入する第３筒部を設けていることで、同じく上述した課題を解決した。
【００３０】
加えて、屋外に設置されている施設の扉を開いた状態において、天壁を構成する防水シートの設置片を、磁石を介して計器の上に取り付けると共に、天壁を構成する防水シートのフックを扉の上縁に掛け止めし、扉の上縁と前縁に沿うように防水シートの天壁と前壁を配置し、
天壁の第１筒部と第２筒部に斜向棒の両端部を挿入して、防水シートによる天壁を平面状に形成すると共に、第３筒部に起立棒の端部を挿入し、起立棒の先端部を地面に当接させて、防水シートによる前壁を垂設状に形成することで、同じく上述した課題を解決した。
【００３１】
また、天壁を構成する防水シートの他方の側縁部に、所定の間隔を開けて複数のフックを取り付けると共に、
天壁を構成する防水シートの他方の側縁部において、設置片と接合している角部分に、斜向棒の端部を挿入する第１筒部を設け、当該角部分に向かい合う天壁の対角部分に、斜向棒の他端部を挿入する第２筒部を設けると共に、当該第２筒部に隣接するように、前壁を構成する長方形状の防水シートに、起立棒の端部を挿入する第３筒部を設けていることで、同じく上述した課題を解決した。
【００３２】
さらに、天壁を構成する防水シートにおいて、一方の側縁部に、側壁を構成する長方形状の防水シートを連設し、前壁を構成する長方形状の防水シートと側壁を構成する防水シートを接合していることで、同じく上述した課題を解決した。
【００３３】
また、天壁を構成する防水シートにおいて、他方の側縁部に、出入口用の側壁を構成する長方形状の防水シートを連設していることで、同じく上述した課題を解決した。
【００３４】
この他、本発明に係る雨天作業用の防水テントは、矩形状の天壁を構成する防水シートの基端部側の一辺に、磁石を備えている設置片を連設し、天壁を構成する防水シートの先端部側の一辺に、前壁を構成する長方形状の防水シートを連設すると共に、天壁を構成する防水シートの一方の側縁部に、側壁を構成する長方形状の防水シートを連設し、前壁を構成する長方形状の防水シートと側壁を構成する防水シートを接合して雨天作業用の防水テントを構成し、
天壁を構成する防水シートの一方の側縁部において、設置片と接合している角部分に、斜向棒の端部を挿入する第１筒部を設け、当該角部分に向かい合う天壁の対角部分に、斜向棒の他端部を挿入する第２筒部を設けると共に、当該第２筒部に隣接するように、前壁を構成する長方形状の防水シートに、起立棒の端部を挿入する第３筒部を設けていることで、同じく上述した課題を解決した。
【００３５】
また、屋外に設置されている施設の扉を開いた状態において、扉を覆うように天壁・側壁・前壁を構成する防水シートを配置し、天壁と側壁を構成する防水シートの連設部分を扉の上縁に宛がった状態で、天壁を構成する防水シートの第１筒部と第２筒部に斜向棒の両端部を挿入して、防水シートによる天壁を平面状に形成すると共に、前壁を構成する防水シートの第３筒部に起立棒の端部を挿入し、起立棒の先端部を地面に当接させて、防水シートによる前壁を垂設状に形成することで、同じく上述した課題を解決した。
【００３６】
さらに、本発明に係る雨天作業用の防水テントは、矩形状の天壁を構成する防水シートの基端部側の一辺に、磁石を備えている設置片を連設し、天壁を構成する防水シートの先端部側の一辺に、前壁を構成する長方形状の防水シートを連設すると共に、天壁を構成する防水シートの他方の側縁部に、側壁を構成する長方形状の防水シートを連設し、前壁を構成する長方形状の防水シートと側壁を構成する防水シートを接合して雨天作業用の防水テントを構成し、
天壁を構成する防水シートの他方の側縁部において、設置片と接合している角部分に、斜向棒の端部を挿入する第１筒部を設け、当該角部分に向かい合う天壁の対角部分に、斜向棒の他端部を挿入する第２筒部を設けると共に、当該第２筒部に隣接するように、前壁を構成する長方形状の防水シートに、起立棒の端部を挿入する第３筒部を設けていることで、同じく上述した課題を解決した。
【発明の効果】
【００３７】
本発明は、略長方形状の防水シートの基端部側の短辺に、磁石を備えている設置片を連設すると共に、防水シートの長手方向における一方の側縁部に、所定の間隔を開けて複数のフックを取り付けて雨天作業用の防水テントを構成し、防水シートの長手方向における一方の側縁部において、設置片と接合している角部分に、斜向棒の端部を挿入する第１筒部を設け、この第１筒部に対向するように防水シートの長手方向における他方の側縁部に、斜向棒の他端部を挿入する複数の第２筒部を設けると共に、当該第２筒部に連なるように、起立棒の端部を挿入する複数の第３筒部を設けていることから、屋外に設置されている施設としての、例えば、キュービクルについて、その扉を開けた状態で種々の計器作業を実施する際に、キュービクルの扉に防水テントを簡単に取り付けて、キュービクルの計器が風雨に晒されてしまう事態の発生を防止することができる。
【００３８】
具体的には、屋外に設置されている施設としての、例えば、キュービクルの扉を開いた状態において、磁石を介して防水シートの設置片を、計器の上に簡単に取り付けることができる。また、防水シートのフックを扉の上縁に掛け止めして、扉の上縁と前縁に沿うように、防水シートを折曲状に配置することができる。
【００３９】
そして、防水シートの第１筒部と特定の第２筒部に斜向棒の両端部を挿入して、防水シートによる天壁を平面状に形成すると共に、特定の第３筒部に起立棒の端部を挿入し、起立棒の先端部を地面に当接させて、防水シートによる前壁を垂設状に形成して、防水シートにより計器を覆うことにより、キュービクルの計器が風雨に晒されてしまう事態の発生を防止している。
【００４０】
その結果、例えば、ＰＰＳ需要者において使用されているキュービクルにおいて実施する、電力量計器における計量データの採録作業を、天候の影響を受けることなく円滑に実施することができる。
【００４１】
また、従来のように、１人の作業員が傘を持った状態で、他の作業員が計量データの採録作業を実施する必要もなくなるため、計量データの採録作業を効率良く迅速に実施することができる。
【００４２】
さらに、防水シートの長手方向における他方の側縁部に、所定の間隔を開けて複数のフックを取り付けると共に、防水シートの長手方向における他方の側縁部において、設置片と接合している角部分に、斜向棒の端部を挿入する第１筒部を設け、この第１筒部に対向するように防水シートの長手方向における一方の側縁部に、斜向棒の他端部を挿入する複数の第２筒部を設けると共に、当該第２筒部に連なるように、起立棒の端部を挿入する複数の第３筒部を設けているときには、右開きの扉と、左開きの扉のいずれにも防水テントを簡単に取り付けて、キュービクルの計器が風雨に晒されてしまう事態の発生を防止することができる。
【００４３】
この他、本発明は、矩形状の天壁を構成する防水シートの基端部側の一辺に、磁石を備えている設置片を連設すると共に、天壁を構成する防水シートの先端部側の一辺に、前壁を構成する長方形状の防水シートを連設し、天壁を構成する防水シートの一方の側縁部に、所定の間隔を開けて複数のフックを取り付けて雨天作業用の防水テントを構成し、天壁を構成する防水シートの一方の側縁部において、設置片と接合している角部分に、斜向棒の端部を挿入する第１筒部を設け、当該角部分に向かい合う天壁の対角部分に、斜向棒の他端部を挿入する第２筒部を設けると共に、当該第２筒部に隣接するように、前壁を構成する長方形状の防水シートに、起立棒の端部を挿入する第３筒部を設けていることから、防水シートの構成部材を少なくして、防水シートをシンプルに構成することができる。
【００４４】
また、屋外に設置されている施設の扉を開いた状態において、天壁を構成する防水シートの設置片を、磁石を介して計器の上に取り付けると共に、天壁を構成する防水シートのフックを扉の上縁に掛け止めし、扉の上縁と前縁に沿うように防水シートの天壁と前壁を配置し、天壁の第１筒部と第２筒部に斜向棒の両端部を挿入して、防水シートによる天壁を平面状に形成すると共に、第３筒部に起立棒の端部を挿入し、起立棒の先端部を地面に当接させて、防水シートによる前壁を垂設状に形成するので、誰もが簡単に雨天作業用の防水テントを扉に取り付けることができる。
【００４５】
さらに、天壁を構成する防水シートの他方の側縁部に、所定の間隔を開けて複数のフックを取り付けると共に、天壁を構成する防水シートの他方の側縁部において、設置片と接合している角部分に、斜向棒の端部を挿入する第１筒部を設け、当該角部分に向かい合う天壁の対角部分に、斜向棒の他端部を挿入する第２筒部を設けると共に、当該第２筒部に隣接するように、前壁を構成する長方形状の防水シートに、起立棒の端部を挿入する第３筒部を設けているときには、右開きの扉と、左開きの扉のいずれにも防水テントを簡単に取り付けて、キュービクルの計器が風雨に晒されてしまう事態の発生を防止することができる。
【００４６】
また、天壁を構成する防水シートにおいて、一方の側縁部に、側壁を構成する長方形状の防水シートを連設し、前壁を構成する長方形状の防水シートと側壁を構成する防水シートを接合しているときには、扉に取り付けた防水テントにより、風雨の侵入をより確実に防止することができる。
【００４７】
加えて、天壁を構成する防水シートにおいて、他方の側縁部に、出入口用の側壁を構成する長方形状の防水シートを連設しているときにも、風雨の侵入をより確実に防止することができる。
【００４８】
また、矩形状の天壁を構成する防水シートの基端部側の一辺に、磁石を備えている設置片を連設し、天壁を構成する防水シートの先端部側の一辺に、前壁を構成する長方形状の防水シートを連設すると共に、天壁を構成する防水シートの一方の側縁部に、側壁を構成する長方形状の防水シートを連設し、前壁を構成する長方形状の防水シートと側壁を構成する防水シートを接合して雨天作業用の防水テントを構成し、天壁を構成する防水シートの一方の側縁部において、設置片と接合している角部分に、斜向棒の端部を挿入する第１筒部を設け、当該角部分に向かい合う天壁の対角部分に、斜向棒の他端部を挿入する第２筒部を設けると共に、当該第２筒部に隣接するように、前壁を構成する長方形状の防水シートに、起立棒の端部を挿入する第３筒部を設けているときには、防水シートの構成部材をより少なくして、防水シートをシンプルに構成することができる。
【００４９】
このとき、屋外に設置されている施設の扉を開いた状態において、扉を覆うように天壁・側壁・前壁を構成する防水シートを配置するので、防水シートにより風雨の侵入をより確実に防止することができる。
【００５０】
また、天壁と側壁を構成する防水シートの連設部分を扉の上縁に宛がった状態で、天壁を構成する防水シートの第１筒部と第２筒部に斜向棒の両端部を挿入して、防水シートによる天壁を平面状に形成すると共に、前壁を構成する防水シートの第３筒部に起立棒の端部を挿入し、起立棒の先端部を地面に当接させて、防水シートによる前壁を垂設状に形成するので、誰もが簡単に雨天作業用の防水テントを扉に取り付けることができる。
【００５１】
さらに、天壁と側壁を構成する防水シートの連設部分を、扉の上縁に宛がった状態を維持することから、強風時においても、扉に取り付けた防水テントが吹き飛ばされるようなことがない。
【００５２】
加えて、全体をコンパクトに折り畳むことが可能であるので、作業員による持ち運びも容易である。
【００５３】
また、防水シートの構成部材を少なくして、防水シートをシンプルに構成することから、防水テントの製造コストも低く抑えることができる。
【００５４】
さらに、矩形状の天壁を構成する防水シートの基端部側の一辺に、磁石を備えている設置片を連設し、天壁を構成する防水シートの先端部側の一辺に、前壁を構成する長方形状の防水シートを連設すると共に、天壁を構成する防水シートの他方の側縁部に、側壁を構成する長方形状の防水シートを連設し、前壁を構成する長方形状の防水シートと側壁を構成する防水シートを接合して雨天作業用の防水テントを構成し、天壁を構成する防水シートの他方の側縁部において、設置片と接合している角部分に、斜向棒の端部を挿入する第１筒部を設け、当該角部分に向かい合う天壁の対角部分に、斜向棒の他端部を挿入する第２筒部を設けると共に、当該第２筒部に隣接するように、前壁を構成する長方形状の防水シートに、起立棒の端部を挿入する第３筒部を設けているときには、右開きの扉と、左開きの扉のいずれにも防水テントを簡単に取り付けて、キュービクルの計器が風雨に晒されてしまう事態の発生を防止することができる。
【図面の簡単な説明】
【００５５】
【図１】第１の実施の形態における雨天作業用の防水テントの構成を示す斜視図である。
【図２】第１の実施の形態における雨天作業用の防水テントの、扉への取り付け状態を示す斜視図である。
【図３】第１の実施の形態における雨天作業用の防水テントの使用状態を示す斜視図である。
【図４】第１の実施の形態における雨天作業用の防水テントにおいて、防水シートの長手方向における両方の側縁部に、複数のフックを取り付けている構成を示す斜視図である。
【図５】第２の実施の形態における雨天作業用の防水テントの構成を示す斜視図である。
【図６】第２の実施の形態における雨天作業用の防水テントにおいて、斜向棒と起立棒を取り付ける状態を示す分解斜視図である。
【図７】第２の実施の形態における雨天作業用の防水テントにおいて、斜向棒と起立棒（直立状）を取り付けた状態を示す斜視図である。
【図８】第２の実施の形態における雨天作業用の防水テントの、扉への取り付け状態を示すもので、（ａ）は扉の前方に防水テントを配置した状態を示す分解側面図、（ｂ）は防水テントを扉へ取り付けた状態を示す側面図である。
【図９】第２の実施の形態における雨天作業用の防水テントの使用状態を示す斜視図である。
【図１０】第２の実施の形態における雨天作業用の防水テントにおいて、斜向棒と起立棒（傾斜状）を取り付けた状態を示す斜視図である。
【図１１】第２の実施の形態における雨天作業用の防水テントの他の使用状態を示す斜視図である。
【図１２】第２の実施の形態における雨天作業用の防水テントの他の使用状態を示す斜視図である。
【図１３】第２の実施の形態における雨天作業用の防水テントにおいて、天壁を構成する防水シートの両方の側縁部に、複数のフックを取り付けている構成を示す斜視図である。
【図１４】第３の実施の形態における雨天作業用の防水テントの構成を示す斜視図である。
【図１５】第３の実施の形態における雨天作業用の防水テントにおいて、天壁を構成する防水シートの両方の側縁部に、複数のフックを取り付けている構成を示す斜視図である。
【図１６】第３の実施の形態における雨天作業用の防水テントの他の構成を示す斜視図である。
【図１７】第３の実施の形態における雨天作業用の防水テントの他の構成を示す斜視図である。
【図１８】第４の実施の形態における雨天作業用の防水テントの構成を示す斜視図である。
【図１９】第４の実施の形態における雨天作業用の防水テントの使用状態を示す斜視図である。
【図２０】キュービクルの扉を開けた状態において、計量データの採録を行う電力量計器を出現させている状態を示す斜視図である。
【図２１】作業員が蓋箱を取り外して、固定箱の内部を露出させている状態を示す斜視図である。
【図２２】作業員が固定箱に固定されている端子カバーを取り外している状態を示す斜視図である。
【図２３】キュービクルの扉を開けた状態において、電力量計器にパソコン（ＰＣ）側のコードの端子を接続して、電力量計器における計量データの採録を行っている、従来の採録手法を示す斜視図である。
【図２４】特許文献１に示す簡易型防雨シートの構成を示す斜視図である。
【図２５】特許文献２に示す建築物の作業テントの構成を示す斜視図である。
【発明を実施するための形態】
【００５６】
（第１の実施の形態）
本発明に係る雨天作業用の防水テント１は、図１に示すように、略長方形状の防水シート２の基端部側の短辺に、磁石３を備えている設置片４を連設している。また、防水シート２の長手方向における一方の側縁部に、所定の間隔を開けて複数のフック５を取り付けている。
【００５７】
略長方形状の防水シート２は、屋外に設置されている施設としての、例えば、キュービクルＣの扉Ｄの上縁と前縁に沿うことのできる長さを有している。また、略長方形状の防水シート２は、扉Ｄを開けることにより露出する、電力量計器１０１等のキュービクルＣが備えている様々な計器を充分に覆うことのできる幅を有している。
【００５８】
尚、本発明に係る雨天作業用の防水テント１は、屋外に設置されている様々な施設の扉に適用可能であるが、防水テント１をキュービクルＣの扉Ｄに取り付ける場合を一例にして、以下の説明を行う。
【００５９】
略長方形状の防水シート２の基端部側の短辺に連設している設置片４は、図１に示すように、横長の長方形状に形成され、所定の間隔を開けて配置された２個の円形の磁石３を備えている。
【００６０】
尚、設置片４の形状は、横長の長方形状に限定されることはなく、防水シート２に磁石３を配置できるものであれば、どの様な形状であっても差し支えない。また、磁石３の形状は、防水シート２をキュービクルＣの計器の上にしっかりと磁着できるものであれば、どの様な形状であっても差し支えない。さらに、設置片４に配置する磁石３の数も、２個に限定されることはなく、３個以上の磁石３を配置しても良い。また、長尺な板状に形成された単独の磁石３を、設置片４に配置しても良い。
【００６１】
防水シート２の長手方向における一方の側縁部に取り付けている複数のフック５は、図１に示すように、防水シート２の設置片４側から、中間部分よりも若干先端部側にかけて、比較的に広い範囲に渡って配置されている。このフック５は、扉Ｄの上縁に掛け止め可能であれば、どの様な形状であっても差し支えない。
【００６２】
また、図１・図３に示すように、防水シート２の長手方向における一方の側縁部において、設置片４と接合している角部分に、斜向棒６の端部を挿入する第１筒部７を設け、この第１筒部７に対向するように、防水シート２の長手方向における他方の側縁部に、斜向棒の他端部を挿入する複数の第２筒部８を設けている。
【００６３】
さらに、図１・図３に示すように、防水シート２の長手方向における他方の側縁部において、複数の第２筒部８に連なるように、起立棒９の端部を挿入する複数の第３筒部１０を設けている。
【００６４】
第１筒部７・第２筒部８・第３筒部１０は、いずれも所定の布部材等を縫製して布部材内に内部空間を形成したもので、斜向棒６や起立棒９の端部を挿入して保持できるようになっている。
【００６５】
尚、第１筒部７・第２筒部８・第３筒部１０は、いずれも、斜向棒６や起立棒９の端部を挿入して保持できるものであれば、どの様な形状であっても差し支えない。例えば、柔軟性を有する素材を用いて、円筒状に形成するものであっても良い。
【００６６】
キュービクルＣの扉Ｄへの雨天作業用の防水テント１の取り付けは、まず、図２に示すように、屋外に設置されているキュービクルＣの扉Ｄを開いた状態において、防水シート２の設置片４を、磁石３を介してキュービクルＣの計器の上に取り付ける。これと同時に、防水シート２のフック５を扉Ｄの上縁に掛け止めして、扉Ｄの上縁と前縁に沿うように防水シート１を折曲状に配置する。
【００６７】
尚、図２に示す防水シート２においては、扉Ｄの上縁に５個のフック５を掛け止めしているが、扉Ｄの上縁の長さに応じて、掛け止めするフック５の数を適宜調節する。
【００６８】
次に、図３に示すように、防水シート２の第１筒部７と、特定の第２筒部８に斜向棒６の両端部を挿入して、防水シート２による天壁部分を平面状に形成する。
【００６９】
尚、図３に示す防水シート２においては、斜向棒６の他端部を、３個並設されている第２筒部８において、中間に位置している第２筒部８に挿入しているが、好ましい大きさの天壁部分を形成するために、斜向棒６の端部を挿入する第２筒部８を適宜選択する。
【００７０】
斜向棒６は、全体が柔軟性・可撓性を有しており、若干湾曲させたような状態で、その両端部を防水シート２の第１筒部７と特定の第２筒部８に部を挿入し、斜向棒６による所謂突っ張り状態により、天壁部分を平面上に形成している。
【００７１】
次に、図３に示すように、特定の第３筒部１０に起立棒９の端部を挿入し、起立棒９の先端部を地面に当接させて、防水シート２による前壁部分を垂設状に形成する。
【００７２】
尚、図３に示す防水シート２においては、起立棒９の端部を、３個並設されている第３筒部１０において、中間に位置している第３筒部１０に挿入しているが、好ましい大きさの前壁部分を形成するために、起立棒９の端部を挿入する第３筒部１０を適宜選択する。
【００７３】
また、図４に示すように、防水シート２の長手方向における他方の側縁部にも、所定の間隔を開けて複数のフック５を取り付けると共に、防水シート２の長手方向における他方の側縁部において、設置片４と接合している角部分に、斜向棒６の端部を挿入する第１筒部７を設け、この第１筒部７に対向するように防水シート１の長手方向における一方の側縁部に、斜向棒６の他端部を挿入する複数の第２筒部８を設けると共に、当該第２筒部８に連なるように、起立棒９の端部を挿入する複数の第３筒部１０を設けて雨天作業用の防水テント１を構成しても良い。
【００７４】
この様に、防水シート２の長手方向における両方の側縁部にフック５を取り付け、また、防水シート２の両方の側縁部に第１筒部７・第２筒部８・第３筒部１０を設けることにより、キュービクルにおける右開きの扉と、左開きの扉のいずれにも防水テント１を簡単に取り付けることができる。
【００７５】
また、図１に示す防水シート２において、長手方向における他方の側縁部に複数のフック５を取り付けると共に、防水シート２の他方の側縁部において、設置片４と接合している角部分に、斜向棒６の端部を挿入する第１筒部７を設け、この第１筒部７に対向するように、防水シート２の長手方向における一方の側縁部に、斜向棒６の他端部を挿入する複数の第２筒部８を設けている構成を含むことは勿論である。
【００７６】
（第２の実施の形態）
この他、図５に示すように、矩形状の天壁を構成する防水シート２Ａの基端部側の一辺に、磁石３を備えている設置片４を連設すると共に、天壁を構成する防水シート２Ａの先端部側の一辺に、前壁を構成する長方形状の防水シート２Ｂを連設し、天壁を構成する防水シート２Ａの一方の側縁部に、所定の間隔を開けて複数のフック５を取り付けて雨天作業用の防水テント１を構成しても良い。
【００７７】
尚、図５に示す雨天作業用の防水テント１において、図１乃至図４に示す防水テント１と略同一の構成には、同一の符号を付すことにより、その詳細な説明を省略する。
【００７８】
矩形状の天壁を構成する防水シート２Ａは、キュービクルＣの扉Ｄの上縁に沿うことのできる大きさを有している。また、前壁を構成する長方形状の防水シート２Ｂは、キュービクルＣの扉Ｄの前縁に沿うことのできる大きさを有している。
【００７９】
この雨天作業用の防水テント１は、図５・図６に示すように、天壁を構成する防水シート２Ａの一方の側縁部において、設置片４と接合している角部分に、斜向棒６の端部を挿入する第１筒部７を設け、当該角部分に向かい合う天壁の対角部分に、斜向棒６の他端部を挿入する第２筒部８を設けている。
【００８０】
さらに、図５・図６に示すように、天壁を構成する防水シート２Ａの第２筒部８に隣接するように、前壁を構成する長方形状の防水シート２Ｂに、起立棒９の端部を挿入する第３筒部１０を設けている。
【００８１】
キュービクルＣの扉Ｄへの雨天作業用の防水テント１の取り付けは、まず、図８（ａ）（ｂ）・図９に示すように、屋外に設置されているキュービクルＣの扉Ｄを開いた状態において、天壁を構成する防水シート２Ａの設置片４を、磁石３を介してキュービクルＣの計器の上に取り付ける。これと同時に、天壁を構成する防水シート２Ａのフック５を扉Ｄの上縁に掛け止めし、扉の上縁と前縁に沿うように防水シート２Ａ・２Ｂを配置する。
【００８２】
次に、図６・図７、図９に示すように、天壁を構成する防水シート２Ａの第１筒部７と第２筒部８に斜向棒６の両端部を挿入して、防水シート２Ａによる天壁を平面状に形成する。また、前壁を構成する防水シート２Ｂの第３筒部１０に起立棒９の端部を挿入し、起立棒９の先端部を地面に当接させて、防水シート２Ｂによる前壁を垂設状に形成する。
【００８３】
尚、図７・図９に示す雨天作業用の防水テント１は、起立棒９が扉Ｄの前縁に沿う直立状態を維持しているが、これに限定されることはなく、例えば、図１０・図１１に示すように、起立棒９を傾斜状に配置しても良い。
【００８４】
また、図１２に示すように、起立棒９を少し短く形成して、防水シート２Ａの全体を下方に向けて若干傾かせたときには、天壁を構成する防水シート２Ａの上に存在する雨水を、自然に落下させることができる。
【００８５】
この他、図１１に示す防水テント１において、天壁を構成する防水シート２Ａの、フック５が存在していない他方の側縁部における略中央部分に、所定の長さの紐を取り付け、その紐の先端部に重りを付設して、天壁を構成する防水シート２Ａに略Ｖ字状の凹部を設け、この凹部を介して防水シート２Ａの上に存在する雨水を落下させても良い。
【００８６】
さらに、図１３に示すように、天壁を構成する防水シート２Ａの他方の側縁部に、所定の間隔を開けて複数のフック５を取り付けると共に、天壁を構成する防水シート２Ａの他方の側縁部において、設置片４と接合している角部分に、斜向棒６の端部を挿入する第１筒部７を設け、当該角部分に向かい合う天壁の対角部分に、斜向棒６の他端部を挿入する第２筒部８を設けると共に、当該第２筒部８に隣接するように、前壁を構成する長方形状の防水シート２Ｂに、起立棒９の端部を挿入する第３筒部１０を設けて雨天作業用の防水テント１を構成しても良い。
【００８７】
この様に、天壁を構成する防水シート２Ａの両方の側縁部にフック５を取り付け、また、防水シート２Ａの両方の側縁部に第１筒部７・第２筒部８を設け、さらに、防水シート２Ｂの上方に位置している両方の側縁部に第３筒部１０を設けることにより、キュービクルＣにおける右開きの扉Ｄと、左開きの扉（Ｄ）のいずれにも防水テント１を簡単に取り付けることができる。
【００８８】
また、図５に示す天壁を構成する防水シート２Ａにおいて、他方の側縁部に複数のフック５を取り付けると共に、防水シート２Ａの他方の側縁部において、設置片４と接合している角部分に、斜向棒６の端部を挿入する第１筒部７を設け、この第１筒部７に対向するように、防水シート２の長手方向における一方の側縁部に、斜向棒６の他端部を挿入する複数の第２筒部８を設け、この第２筒部８に隣接するように、前壁を構成する長方形状の防水シート２Ｂに、起立棒９の端部を挿入する第３筒部１０を設けている構成を含むことは勿論である。
【００８９】
（第３の実施の形態）
さらに、図１４に示すように、天壁を構成する防水シート２Ａにおいて、複数のフック５を取り付けている一方の側縁部に、側壁を構成する長方形状の防水シート２Ｃを連設し、前壁を構成する長方形状の防水シート２Ｂと側壁を構成する防水シート２Ｃを、縫製等の手段を用いて接合して雨天作業用の防水テント１を構成しても良い。
【００９０】
このとき、図１５に示すように、天壁を構成する防水シート２Ａの両方の側縁部にフック５を取り付け、また、防水シート２Ａの両方の側縁部に第１筒部７・第２筒部８を設け、さらに、防水シート２Ｂの上方に位置している両方の側縁部に第３筒部１０を設けることにより、キュービクルＣにおける右開きの扉Ｄと、左開きの扉（Ｄ）のいずれにも防水テント１を簡単に取り付けることができる。
【００９１】
また、図１６に示すように、天壁を構成する防水シート２Ａにおいて、フック５が存在していない他方の側縁部に、出入口用の側壁を構成する長方形状の防水シート２Ｄを連設して雨天作業用の防水テント１を構成しても良い。
【００９２】
このとき、防水シート２Ｄは、前壁を構成する防水シート２Ｂと接合していないフリーな状態にしておくことにより、作業員Ｓの出入りを容易に行うことができる。
【００９３】
尚、図１７に示すように、側壁を構成する防水シート２Ｃと、出入口用の側壁を構成する防水シート２Ｄのいずれも備えるようにして、雨天作業用の防水テント１を構成しても良い。
【００９４】
また、図１４に示す天壁を構成する防水シート２Ａにおいて、他方の側縁部に複数のフック５を取り付けると共に、防水シート２Ａの他方の側縁部において、設置片４と接合している角部分に、斜向棒６の端部を挿入する第１筒部７を設け、この第１筒部７に対向するように、防水シート２の長手方向における一方の側縁部に、斜向棒６の他端部を挿入する第２筒部８を設け、この第２筒部８に隣接するように、前壁を構成する長方形状の防水シート２Ｂに、起立棒９の端部を挿入する第３筒部１０を設けている構成を含むことは勿論である。
【００９５】
（第４の実施の形態）
加えて、雨天作業用の防水テント１を、図１８に示すように、フック５の存在していないタイプに構成しても良い。
【００９６】
具体的には、矩形状の天壁を構成する防水シート２Ａの基端部側の一辺に、磁石３を備えている設置片４を連設し、天壁を構成する防水シート２Ａの先端部側の一辺に、前壁を構成する長方形状の防水シート２Ｂを連設すると共に、天壁を構成する防水シート２Ａの一方の側縁部に、側壁を構成する長方形状の防水シート２Ｃを連設し、前壁を構成する長方形状の防水シート２Ａと側壁を構成する防水シート２Ｃを、縫製等の手段を用いて接合している。
【００９７】
このタイプの防水テント１の取り付けは、まず、図１９に示すように、屋外に設置されているキュービクルＣの扉Ｄを開いた状態において、扉Ｄを覆うように天壁・側壁・前壁を構成する防水シート２Ａ・２Ｃ・２Ｂを配置し、天壁と側壁を構成する防水シート２Ａ・２Ｃの連設部分を扉Ｄの上縁に宛がった状態にする。
【００９８】
次に、天壁を構成する防水シート２Ａの第１筒部７と第２筒部８に斜向棒６の両端部を挿入して、防水シート２Ａによる天壁を平面状に形成すると共に、前壁を構成する防水シート２Ｂの第３筒部１０に起立棒９の端部を挿入し、起立棒９の先端部を地面に当接させて、防水シート２Ｂによる前壁を垂設状に形成する。
【００９９】
この他、天壁を構成する防水シート２Ａの他方の側縁部に、側壁を構成する長方形状の防水シート２Ｃを連設し、前壁を構成する長方形状の防水シート２Ｂと側壁を構成する防水シート２Ｃを接合して雨天作業用の防水テント１を構成し、天壁を構成する防水シート２Ａの他方の側縁部において、設置片４と接合している角部分に、斜向棒６の端部を挿入する第１筒部７を設け、当該角部分に向かい合う天壁の対角部分に、斜向棒６の他端部を挿入する第２筒部８を設けると共に、当該第２筒部８に隣接するように、前壁を構成する長方形状の防水シート２Ｂに、起立９棒の端部を挿入する第３筒部１０を設けても良い。
【０１００】
この様に、天壁を構成する防水シート２Ａの両方の側縁部に第１筒部７・第２筒部８を設け、さらに、防水シート２Ｂの上方に位置している両方の側縁部に第３筒部１０を設けることにより、キュービクルＣにおける右開きの扉Ｄと、左開きの扉（Ｄ）のいずれにも防水テント１を簡単に取り付けることができる。
【０１０１】
尚、本発明は、前記した実施の形態に限定されるものではなく、本発明の目的を達成できる範囲での改良・変形等は、本発明に全て包含されるものである。
【産業上の利用可能性】
【０１０２】
本発明は、例えば、キュービクルの扉に簡単に取り付けて、キュービクルの計器が風雨に晒されてしまう事態の発生を防止するものであるが、キュービクル以外の、様々な施設の扉にも簡単に取り付けて、施設の構成部材が風雨に晒されてしまう事態の発生を防止するものとして、幅広く利用することができる。
【符号の説明】
【０１０３】
Ｃ…キュービクル
Ｄ…扉
Ｓ…作業員
１…雨天作業用の防水テント
２…防水シート
２Ａ…天壁を構成する防水シート
２Ｂ…前壁を構成する防水シート
２Ｃ…側壁を構成する防水シート
２Ｄ…出入口用の側壁を構成する防水シート
３…磁石
４…設置片
５…フック
６…斜向棒
７…第１筒部
８…第２筒部
９…起立棒
１０…第３筒部
ＰＣ…パソコン
１０１…電力量計器
１０２…蓋箱
１０３…固定箱
１０４…端子カバー
２００…パソコン側のコード
３００…上面部
３０１…側面部
３０３…シート本体
３０２…前面部
４００…シート
４０１…骨組
４０２…第１の部材
４０３…第２の部材
４０４…第３の部材
【図１】
2012154058.tif 000003
【図２】
2012154058.tif 000004
【図３】
2012154058.tif 000005
【図４】
2012154058.tif 000006
【図５】
2012154058.tif 000007
【図６】
2012154058.tif 000008
【図７】
2012154058.tif 000009
【図８】
2012154058.tif 000010
【図９】
2012154058.tif 000011
【図１０】
2012154058.tif 000012
【図１１】
2012154058.tif 000013
【図１２】
2012154058.tif 000014
【図１３】
2012154058.tif 000015
【図１４】
2012154058.tif 000016
【図１５】
2012154058.tif 000017
【図１６】
2012154058.tif 000018
【図１７】
2012154058.tif 000019
【図１８】
2012154058.tif 000020
【図１９】
2012154058.tif 000021
【図２０】
2012154058.tif 000022
【図２１】
2012154058.tif 000023
【図２２】
2012154058.tif 000024
【図２３】
2012154058.tif 000025
【図２４】
2012154058.tif 000026
【図２５】
2012154058.tif 000027